Podtech/llm-jp-corpus-v4-ja_patent huggingface dataset:
(57)【要約】【課題】トラック等の箱型車両では走行時の空気抵抗が大きく燃費などえの悪影響がある。ルーフスポイラーでは大型であり全長が規制されている車両では荷室寸法が減少してしまう。【解決手段】車両後面部に複数の開口部とそれを繋ぐ空気室を設ける。そのことにより車体後部表面での気圧の差を和らげ、車両後部の乱流を減少させる。【選択図】図１
2020055507.tif 000002
【特許請求の範囲】
【請求項１】
箱型車両の後面（後部ドア）に全面又は一部に設けられ、後面に３箇所以上の開口部と、開口部を繋ぐ空気室を持つ、空気抵抗低減装置
【請求項２】
自動車等の移動体後部の全面又は一部に設けられ、後面に３箇所以上の開口部と、それぞれの開口部を繋ぐ空気室を持つ、空気抵抗低減装置
【発明の詳細な説明】
【発明の詳細な説明】
【技術分野】
【０００１】本発明は自動車の車体後部に設置され、走行時における空気抵抗を軽減する自動車の空気抵抗低減装置に関し、特に箱型形状の車両に効果的な技術に関する。
【背景技術】
【０００２】自動車の燃費向上の観点から、自動車走行時の空気抵抗を低減させることが望ましい。
箱型形状の車両は後面が垂直平面になっており、走行時に発生する空気抵抗が特に大きい。【０００３】車体の上・側面に沿って流れる気流の状態を制御するためには、車体形状全体の変更が必要になる。車体寸法には規制がある為、全長が伸びると積載量が減少するなど大幅な形状変更は困難である。例えば、ルーフ後端に空気抵抗低減装置（リアスポイラ）を取り付ける等の対策が講じられている。【０００４】なお、車両周辺の空気の流れを制御する技術としては、車体のリアウインドウ近傍に発生する空気の流れの剥離現象を制御する自動車の空気抵抗軽減装置や、サンルーフ装着車の開口部を広くした場合に発生するウインドスロップを防止するためのサンルーフディフレクタ等が知られている。（例えば、特許文献１，２参照）
【特許文献１】特開２００４−３４５５６２号公報
【特許文献２】特開２００２−５２９３５号公報
【発明の開示】
【発明が解決しようとする課題】
【０００５】上述したリアスポイラ等の自動車の空気抵抗低減装置では、次のような問題があった。すなわち、トラック等の大型自動車に取り付けられるリアスポイラは大型のものが必要であり、全長が規制されているトラックにおいては荷室寸法が削られ積載量が減ってしまう問題点があった。【０００６】そこで本発明は、荷室寸法に大きな影響を与えることなく気流を制御することで空力性能を改善する事ができる自動車の空気抵抗軽減装置を提供することを目的としている。
【問題を解決するための手段】
【０００７】前記問題を解決し目的を達成するために、本発明の自動車の空気抵抗低減装置は次のように構成されている。
【０００８】（１）箱型車両の後部（後面ドア）部分に全面又は一部に渡り設けられ、後面に３箇所以上の開口部とそれら開口部を繋ぐ空気室を持つ、板状または筒状の空気抵抗低減装置
【０００９】本発明は自動車の後部に発生する渦流に着目した。箱型形状後部の渦流について発生を抑制するのではなく、発生した渦流を小さくする事により空気抵抗を低減させる。
箱型形状後面の後部ドア表面には渦流により気圧の差が発生しており、風向きや空気の粘性により絶えず変化している。この気圧差を本空気抵抗低減装置により減少させることにより、渦流を小さくする。気圧の高い場所と気圧の低い場所を開口部と空気室で繋ぎ、気圧の差を減少させる。
開口部が空気室でつながっているため、それぞれの開口部の気圧が変化しても自動的に空気が出入りし気圧の差を減少させる。
【発明の効果】
【００１０】（１）に記載した自動車の空気抵抗低減装置によれば荷台寸法を減少することなく気流を制御することで空力性能を改善することができる。
【００１１】（１）に記載した自動車の空気抵抗低減装置によれば小型であっても十分な空気抵抗低減効果が得られる。
【００１２】図１は本発明の一実施形態に係る、自動車の空気抵抗低減装置を有するトラック等の箱型車両１０を示す斜視図、図２は同箱型車両１０の要部を示す後面図である。
【００１３】箱型車両１０はほぼ直方体状の運転席２１と直方体形状の荷室２２を備え、前後方向（進行方向）に長い形状をしている。荷室２２は側面部２３、前面部２４、ルーフ２５、後面部（後部ドア）２６、を備えている。又、箱型車両１０は前輪３０、後輪３１により支持されている。
【００１４】後面部（後部ドア）２６、は通常金属板により作られているが、このドア部分に本発明の空気抵抗低減装置を設置する。勿論、内蔵することも可能である。後面部全体が１つの空気抵抗低減装置でなくとも、両開きドアなので左右別にする事もできる。
【００１５】後面部（後部ドア）２６には開口部３２を設ける。後部ドアは通常両開きであり左右別々に同じ構造を持っている。開口部３２の数や面積はは車体の大きさなどの条件により増減する。開口部３２は内部で空気室３３で繋がつており空気が自由に出入りできる。
【００１６】空気室３３は厚さ５センチ程度で良いと考える。対応速度や車両の大きさにより増減する。
広い面なので補強のための部材が必要であるが、空気の動きを極端に妨げなければ完全な空洞でなくとも良い。
【図面の簡単な説明】
【００２０】
【図１】本発明の第一の実施の形態に係る自動車の空気抵抗低減部材を有する箱型車両を示す斜視図。
【図２】同箱型車両の後面部（後部ドア）を示す後面図
【図３】本発明の作動原理を示す側面図
【符号の説明】
【００２１】１０．．．箱型車両、２１．．．運転席、２２．．．荷室、２３．．．側面部、２４．．．前面部、２５．．．ルーフ、２６．．．後面部（後部ドア）、３１．．．タイヤ、３２．．．開口部、３３．．．空気室、
【図１】
2020055507.tif 000003
【図２】
2020055507.tif 000004
【手続補正書】
【提出日】平成30年12月25日(2018.12.25)
【手続補正２】
【補正対象書類名】明細書
【補正対象項目名】００２０
【補正方法】変更
【補正の内容】
【００２０】
【図１】本発明の第一の実施の形態に係る自動車の空気抵抗低減部材を有する箱型車両を示す斜視図。
【図２】同箱型車両の後面部（後部ドア）を示す後面図
(57)【要約】【課題】  本考案は空気の力でなめらかな床を、床からわずかに浮きながら滑るように走る、空気圧スライダー遊具に関するものである。身近な場所で、スライダー遊具で遊ぶことができるようにする。【解決手段】  人が乗るための乗用板と、つかまるための取っ手、板の下面には浮き輪に似た形状の樹脂シート製のドーナツ状リングが複数個設置され、それらリングの内側には複数個所に空気が自由に出入りできるような大きめの穴が設けられている。  以上を特徴とする空気圧スライダー遊具である。体育館や廊下など、滑らかな床面のある場所なら、どこででも使用することができる。【選択図】図１
2020055510.tif 000002
【特許請求の範囲】
【請求項１】
人が乗るための乗用板と、つかまるための取っ手、板の下面には浮き輪に似た形状の樹脂シート製のドーナツ状リングが複数個設置され、それらリングの内側には複数個所に空気が自由に出入りできるような大きめの穴が設けられている空気圧スライダー遊具。
【請求項２】
ドーナツ状リングの形状が、円形ではなく矩形である請求項１の空気圧スライダー遊具。
【請求項３】
ドーナツ状リングの材質が、防水性の布やゴム素材など空気の漏れない素材である請求項１の空気圧スライダー遊具。
【請求項４】
ドーナツ状リングが着脱式となっている請求項１の空気圧スライダー遊具。
【発明の詳細な説明】
【技術分野】
【０００１】  本考案は空気の力でなめらかな床を、床からわずかに浮きながら滑るように走る、空気圧スライダー遊具に関するものである。
【背景技術】
【０００２】  従来、水を流した滑り台を大きな浮き輪に乗って滑る遊びはあった。ウォータースライダーと呼ばれるものである。この場合は、大きな滑り台や水を流す設備など、大掛かりな施設となり、また夏季しか遊ぶことはできなかった。
【先行技術文献】
【特許文献】
【０００３】
【特許文献１】特開２０００−１６７２５４号広報
【特許文献２】特開平４−１１４６８５号広報
【発明の概要】
【発明が解決しようとする課題】
【０００４】  本考案の目的は、どこでも簡単にウォータースライダーのようにスライダー遊具で遊ぶことができるようにすることである。
【課題を解決するための手段】
【０００５】  人が乗るための乗用板と、つかまるための取っ手、板の下面には浮き輪に似た形状の樹脂シート製のドーナツ状リングが複数個設置され、それらリングの内側には複数個所に空気が自由に出入りできるような大きめの穴が設けられている。
以上を特徴とする空気圧スライダー遊具である。
【発明の効果】
【０００６】  遊ぶ際には、本スライダー遊具を持ち上げて床上１５〜２０ｃｍの高さから床に落とし、また持ち上げて床に落とすというパターンを数回繰り返すと、下面のドーナツ状リング内に空気がたまって板が持ち上がってくる。その状態で取っ手につかまりながら板の中央部に飛び乗ると、滑るように進む。
これは乗用板に荷重がかかることで、ドーナツ状リング内にたまった空気がドーナツ状リングと床のわずかな隙間から流れ出て、その部分が空気膜となって床面からわずかに浮いた状態を作り出すからである。
【図面の簡単な説明】
【０００７】
【図１】  本発明の空気圧スライダー遊具の斜視図。
【図２】  本発明の空気圧スライダー遊具の断面図。
【図３】  本発明の空気圧スライダー遊具の原理説明図。
【図４】  小板付きドーナツ状リングの斜視図。
【図５】  小板付きドーナツ状リングを使用した本発明の断面図。
【発明を実施するため形態】
【０００８】  以下、本発明の実施の形態について説明する。
人が乗るための乗用板１と、つかまるための取っ手２、板の下面には浮き輪に似た形状の樹脂シート製のドーナツ状リング３が複数個設置され、それらリングの内側には複数個所に空気が自由に出入りできるような大きめの穴４が設けられている。
乗用板１とドーナツ状リング３とは、密着して気密性が保たれるようになっており、ドーナツ状リング３内にたまった空気は、ドーナツ状リング３と床の間の隙間からのみ漏れ出るようになっている。
ドーナツ状リング３の材質は樹脂シートでなくとも、防水性の布やゴム素材など、空気の漏れない素材であればよい。
ドーナツ状リング３の形状は円形ではなくとも、矩形でもよい。空気がドーナツ状リング３と床の間の隙間からのみ漏れ出るようになっていればよい。
また長期間遊んでいると、ドーナツ状リング３は床との摩擦で擦れて、交換する必要が出てくるため、ドーナツ状リング３は着脱式とする必要がある。
図４に示すように、小板６付きのドーナツ状リング３としておき、それをマジックテープやねじ止めで、乗用板１の下面に取り付けるようにすればよい。交換する場合は小板６付きドーナツ状リング３のセットごとに交換すればよい。
本発明の空気圧スライダー遊具は以上のような構成である。
【符号の説明】
【０００９】  １  乗用板
２  取っ手
３  ドーナツ状リング
４  穴
５  空気の流れ
６  小板
【図１】
2020055510.tif 000003
【図２】
2020055510.tif 000004
【図３】
2020055510.tif 000005
【図４】
2020055510.tif 000006
【図５】
2020055510.tif 000007
(57)【要約】【課題】        車の前後の形状に合して形成した車体を保護する防災用の保護カバー（傷防止カバー）を提供する。【解決手段】    車の前後の形状に合して形成した前部保護カバー（１）と後部保護カバー（２）を装着ベルト（４）で車体（３）に装着する。台風で発生する飛来物が車に接触して車に打痕や傷ができないように防止することと、保護カバーは前部・後部に分けているため、装着ベルトで長さを調整することで多くの車種に対応でき、保護カバーにたるみができないことを特徴とする．【選択図】図１
2020055508.tif 000002
【特許請求の範囲】
【請求項１】
衝撃吸収材（厚さ６ｍｍ以上のマット状のもの）を車体の形状に合して前部・後部別に形成する。
車の形状に合した前部保護カバー（１）と後部保護カバー（２）を装着ベルト（４）で車体（３）に装着して台風で発生する飛来物接触による打痕や傷を防ぐ防災用保護カバーである。
この保護カバーは、前部・後部に分けているため、装着ベルト（４）の長さを調整することによって多くの車種に対応ができる。そして、前部保護カバー（１）と後部保護カバー（２）にたるみができないことで、車体（３）から剥がれない。
【発明の詳細な説明】
【技術分野】
【０００１】  この発明は、露天駐車をしている車が台風時に発生する飛来物によって車体に打痕や傷がつくことを防止するためのものである。
【背景技術】
【０００２】  従来のボディカバーは、車体にゴミやほこりがつかないようにすることと、紫外線から塗装面や色素を守るだけのものだった。
【発明の開示】
【発明が解決しようとする課題】
【０００３】  従来のボディカバーでは、台風時に発生する飛来物によって車体に打痕や傷がつくことを防止できない。
ボディカバーは、あらゆるメーカーの車体の形や大きさが異なる為、車種に応じて形や大きさの違う種類を作らなければいけない。
ボディカバーは、装着後に少したるみがあり、強風に煽られると剥がれ易い。
本発明は、以上のような欠点を無くすためになされたものである。
【課題を解決するための手段】
【０００４】  衝撃吸収材（厚さ６ｍｍ以上のマット状のもの）を車体の形状に合して前部・後部別に形成する。
形成後の衝撃吸収材を使用した前部保護カバー（１）と後部保護カバー（２）を装着ベルト（４）で車体（３）に装着することによって台風で発生する飛来物接触による打痕や傷を防ぐ。
保護カバーは、前部・後部に分かれているため、装着ベルト（４）の長さを調整することによって多くの車種に対応でき、前部保護カバー（１）・後部保護カバー（２）にたるみができない。
【発明の効果】
【０００５】  台風で発生する飛来物が車に接触しても車体に打痕や傷がつかない。
装着ベルト（４）の長さを調整することによって多くの車種に対応ができる。
装着ベルト（４）の長さを調整することによって保護カバーにたるみができないため、車体（３）から前部保護カバー（１）・後部保護カバー（２）が剥がれない。
【発明を実施するための最良の形態】
【０００６】  以下、本発明を実施するための最良の形態について説明する。
車の前後の形状に合して形成した前部保護カバー（１）と後部保護カバー（２）を装着ベルト（４）で車体（３）に装着する。
その結果、台風で発生する飛来物が車に接触しても車体に打痕や傷がつくのを防止できる。
駐車場によっては前部保護カバー（１）だけで対応できる場合があることと、前後に分けていることで多くの車種に対応ができる。
【図面の簡単な説明】
【０００７】
【図１】  前部保護カバー（１）の形状を表す図形である。
【図２】  後部保護カバー（２）の形状を表す図形である。
【図３】  車体（３）に後部保護カバー（２）を装着した図形である。
【図４】  後部保護カバー（２）装着の次に前部保護カバー（１）を装着ベルト（４）で車体（３）に装着した左側面の図形である。
【図５】  車体（３）に前部保護カバー（１）と後部保護カバー（２）を装着ベルト（４）で車体（３）に装着した上から見た図形である。
【図６】  車体（３）に前部保護カバー（１）のみを装着ベルト（４）で装着した左側面の図形である。
【図７】  車体（３）に前部保護カバー（１）のみを装着ベルト（４）で装着した後から見た図形である。
【符号の説明】
【０００８】  １  前部保護カバー
２  後部保護カバー
３  車体
４  装着ベルト
【図１】
2020055508.tif 000003
【図２】
2020055508.tif 000004
【図３】
2020055508.tif 000005
【図４】
2020055508.tif 000006
【図５】
2020055508.tif 000007
【図６】
2020055508.tif 000008
【図７】
2020055508.tif 000009
(57)【要約】【課題】肌に優しくバストに張りや弾力を持たせつつ、バストをスリム化することが可能なバストスリミング化粧料を提供する。【解決手段】バストを引き締めスリム化するバストスリミング化粧料は、加水分解コリアンダ果実エキスと、オレンジ果実エキスと、マテ茶エキスと、ビターオレンジ花エキスと、を少なくとも含有してなる。バストスリミング化粧料は、バストに張りを持たせリフトアップするために用いられても良い。また、バストスリミング化粧料は、バスト用マッサージクリームとして用いられても良い。【選択図】なし【特許請求の範囲】
【請求項１】
バストを引き締めスリム化するバストスリミング化粧料であって、該バストスリミング化粧料は、
加水分解コリアンダ果実エキスと、
オレンジ果実エキスと、
マテ茶エキスと、
ビターオレンジ花エキスと、
を少なくとも含有してなることを特徴とするバストスリミング化粧料。
【請求項２】
請求項１に記載のバストスリミング化粧料であって、バストに張りを持たせリフトアップするために用いられることを特徴とするバストスリミング化粧料。
【請求項３】
請求項１乃至請求項の何れかに記載のバストスリミング化粧料であって、バスト用マッサージクリームとして用いられることを特徴とするバストスリミング化粧料。
【発明の詳細な説明】
【技術分野】
【０００１】
本発明はバストスリミング化粧料に関し、特に、バストをスリム化することが可能なバストトリミング化粧料関する。
【背景技術】
【０００２】
一般的にバスト用化粧料は、バストを大きくするためのバストアップ用のものが知られている（例えば特許文献１）。
【先行技術文献】
【特許文献】
【０００３】
【特許文献１】特開２００６−１７６４３１号公報
【発明の概要】
【発明が解決しようとする課題】
【０００４】
従来のバスト用化粧料は、バストを大きくするためにバストをリフトアップしてバストアップするためのものが主流であった。しかしながら、最近、大きなバストを小さくできればと考える女性が多くいることが分かった。大きな胸は魅力的で女性らしさの象徴というイメージがあるが、胸元ばかりが目立ってしまったり視線が気になったり、胸の垂れや形の崩れに対する不安があったり、胸が重くて肩こりが生じたりといった、バストが大きいが故の悩みがあった。しかしながら、これまで、バストをスリム化するのに特化した化粧料は無かった。
【０００５】
また、バストはデリケートな部分であるだけに、バスト用の化粧料は、肌に優しいものである必要がある。しかしながら、従来の化粧料には刺激の強い成分が多く配合されている場合が多く、バストに用いた際に肌が荒れるといったおそれもあった。
【０００６】
本発明は、斯かる実情に鑑み、肌に優しくバストに張りや弾力を持たせつつ、バストをスリム化することが可能なバストスリミング化粧料を提供しようとするものである。
【課題を解決するための手段】
【０００７】
上述した本発明の目的を達成するために、本発明によるバストスリミング化粧料は、加水分解コリアンダ果実エキスと、オレンジ果実エキスと、マテ茶エキスと、ビターオレンジ花エキスと、を少なくとも含有してなるものであれば良い。
【０００８】
ここで、本発明のバストスリミング化粧料は、バストに張りを持たせリフトアップするために用いられても良い。
【０００９】
また、本発明のバストスリミング化粧料は、バスト用マッサージクリームとして用いられても良い。
【発明の効果】
【００１０】
本発明のバストスリミング化粧料には、バストに優しく張りや弾力を持たせつつ、バストをスリム化することが可能であるという利点がある。
【発明を実施するための形態】
【００１１】
以下、本発明を実施するための形態を図示例と共に説明する。バスト、即ち、乳房は、９０％の脂肪と１０％の乳腺、そしてそれらを支える大胸筋やクーパー靱帯で構成されている。本発明のバストスリミング化粧料は、乳房のうち大部分を占める脂肪に直接作用するように、以下のような成分を主に含有してなるものである。即ち、本発明のバストスリミング化粧料は、少なくとも、加水分解コリアンダ果実エキスと、オレンジ果実エキスと、マテ茶エキスと、ビターオレンジ花エキスとを含有するものである。
【００１２】
ここで、加水分解コリアンダ果実エキスとは、コリアンダの果実のエキスを、酸、酵素又は他の方法により加水分解して得られるものである。加水分解コリアンダ果実エキスは、主に皮膚保護作用に優れている。
【００１３】
また、オレンジ果実エキスとは、オレンジの果実を圧搾・精製又はプロピレングリコールで抽出して得られるエキスである。オレンジ果実エキスは、主に保湿作用、収れん作用、皮膚細胞賦活作用がある。
【００１４】
マテ茶エキスとは、モチノキ科イェルバマテの葉や茎から作られる茶のエキスである。肌の糖化を抑制し、活性酸素を消去する作用がある。また、カフェインが含まれているため、むくみやたるみを抑制する効果もある。
【００１５】
ビターオレンジ花エキスとは、ビターオレンジの花から得られるエキスである。ビターオレンジ花エキスは、古い角層細胞の剥離を促し、新しい細胞の成長を促すピーリング効果があり、肌の再生作用や若返り効果がある。また、収れん作用もあり、皮膚を刺激せず、乳房等の敏感で炎症を起こしやすい肌にも良い。さらに、ビターオレンジ花エキスの主成分であるリナロールは、主に鎮静、鎮痙、鎮痛作用、抗炎症効果、殺虫、抗ウィルス作用もある。
【００１６】
本発明のバストスリミング化粧料は、このような成分を適宜配合することにより、乳房内の脂肪組織が燃焼し、この脂肪燃焼効果によりバストがスリム化する。また、単にスリム化するだけでなく、バストに張りを持たせると共に、リフトアップするよう作用する。これにより、バストに優しく張りや弾力を持たせつつ、バストをスリム化することが可能なバストスリミング化粧料が実現可能となる。
【００１７】
なお、本発明のバストスリミング化粧料は、上述の成分を主成分として少なくとも含有していれば良く、他の成分、例えば、ヒアルロン酸Ｎａや加水分解コラーゲン、シア脂、アスタキサンチン、プラセンタエキス、トレハロース、ビタミンＣ誘導体、加水分解ゴマタンパク、ダイズ種子エキス、ベタイン等が含まれていても良い。
【００１８】
本発明のバストスリミング化粧料は、主効果としては上述の通り、張りや弾力を持たせつつ、バストをスリム化することが可能なものであるが、スリム化以外にもリフトアップ用として用いられても良い。即ち、バストをスリム化しつつ、リフトアップしてバストをすっきり見せることも可能である。
【００１９】
さらに、本発明のバストスリミング化粧料は、バスト用マッサージクリームとして用いられても良い。例えば、血行が良くなっているお風呂上りに、バストを引き締めるためのマッサージをしながら本発明のバストスリミング化粧料を用いると、効果的に作用する。
【００２０】
このように、本発明のバストスリミング化粧料は、肌に優しくバストに張りや弾力を持たせつつ、バストをスリム化することが可能であり、大きなバストを小さくしたい女性の悩みに応えることが可能である。
【００２１】
なお、本発明のバストスリミング化粧料は、上述の例にのみ限定されるものではなく、本発明の要旨を逸脱しない範囲内において種々変更を加え得ることは勿論である。
(57)【要約】【課題】従来ノートと筆記具は別々に所持していた為、書く時に不便であった。【解決手段】そこで本発明はノートや書籍の表紙に直接ゴムバンドを取り付けて、そのバンドに筆記具をはさみ込む事でノートと筆記具の一体化を計った。【選択図】図１
2020055280.tif 000002
【特許請求の範囲】
【請求項１】
ゴムバンドを直接表紙につけて筆記具をはさみ込むようにしたノートや書籍。
【請求項２】
（４）の様にゴムバンドの両端に接着剤をつけてノートや書籍の表紙に直接はり付け筆記具を固定させる目的のゴムバンド
【発明の詳細な説明】
【技術分野】
【０００１】  本発明は筆記具を取り付ける為にゴムバンド又はテープを直接ノート又は書籍の表紙に取り付けたものである。
【背景技術】
【０００２】  従来ノートと筆記用具は別々に所持していた。
只、小型の手帳やノートには側面に筆記具を入れる構造はあったが特別の大きさや型の鉛筆が必要であり、又側面に鉛筆入れを作るには案外費用もかかった。
【発明の概要】
【発明が解決しようとする課題】
【０００３】  普通のノート・予定表は書き込む為には別に筆記具を用意する必要があった。
【課題を解決する為の手段】
【０００４】  そこで本発明はノートと筆記具を別々にカバン等から取り出すという不便を解決する為、ノートの表紙の上に直接ゴムバンドをつけて、そこに筆記具（ボールペン等）を  はさみ込んでいつでもノートと筆記具を一緒に取り出したり携帯したり出来る様にした。
【発明の効果】
【０００５】  本発明はゴムバンドを表紙に直接取り付ける事によってどんなノートや書籍にでも使い慣れた筆記具をはさむ事が出来るのでいちいちカバンの中から筆記具を捜し出す必要がなくなる。
そして作製費用はあまりかからない。
【図面の簡単な説明】
【０００６】
【図１】  本発明の実施形態を示す外視図
【図２】  本発明の実施形態の側面図
【図３】  本発明〔請求項２〕の裏面図
【発明を実施する為の形態】
【０００７】  以下  本発明の実施形態を図面に基づいて説明する。
【０００８】  図において  １はノート  ２はボールペン（筆記用具）  ３はゴムバンド  ４は両端に接着剤を塗ったゴムバンド。
【実施例】
【０００９】  ゴムバンドなのでボールペンをしっかりいつでも固定出来る。そしてボールペンの置き忘れもなくなる。
又、ゴムバンドを２ヶ所に着ければ一層強く固定出来る
【産業上の利用可能性】
【００１０】  本発明は参考書・辞書・地図帳にも印や線を書く為に蛍光ペン等をはさむ事が出来る。
又、バッグやヘルメットの表面につける事も出来るので同様の効果が得られる
そして  両端に接着剤をつけたゴムバンドを作製すればどんなノートや書籍にも貼り付けて同じ効果を得る事が出来る。
【符号の説明】
【００１１】  １  ノート
２  ボールペン（筆記具）
３  ゴムバンド
４  接着剤
【図１】
2020055280.tif 000003
【図２】
2020055280.tif 000004
【図３】
2020055280.tif 000005
(57)【要約】【課題】  従来ノートと筆記具は別々に所持していた為書く時に不便であった。【解決手段】  そこで本発明はノートや書籍の表紙に直接筒状の袋を取り付けて、その袋に筆記具を入れる事でノートと筆記具の一体化を計った。【選択図】図１
2020055279.tif 000002
【特許請求の範囲】
【請求項１】
筒状の袋を直接表紙につけて筆記具を入れるようにしたノートや書籍
【請求項２】
ノートの表紙に直接付ける為に裏面に接着剤を付けた筒状の袋
【発明の詳細な説明】
【技術分野】
【０００１】  本発明は筆記具を入れる為に筒状の袋を直接ノート又は書籍の表紙に取り付けたものである。
【背景技術】
【０００２】  従来ノートと筆記具は別々に所持していた。
只、小型の手帳やノートには側面に筆記具を入れる為の構造はあったが特別の大きさや型の鉛筆が必要であり、又、側面に筆記具入れを作るには案外費用もかかった。
【発明の概要】
【発明が解決しようとする課題】
【０００３】  普通のノートや予定表は書き込む為には別に筆記具を用意する必要があった。
【課題を解決する為の手段】
【０００４】  そこで本発明はノートと筆記具を別々にカバン等から取り出すという不便を解決する為、ノートの表紙の上に直接筒状の袋をつけて、そこに筆記具（ボールペン等）を入れる事が出来る様にして、いつでもノートと筆記具を一緒に取り出したり携帯したり出来る様にした。
【発明の効果】
【０００５】  本発明は筒状の袋を表紙に直接取り付ける事でどんなノートや書籍にでも使い慣れた筆記具を入れる事が出来るのでいちいちカバンの中から筆記具を捜し出す必要がなくなる。
尚、この袋を透明ビニール等で作れば表紙のデザインを妨げる事がないし袋の厚さも少なく出来る。そして製作費用はあまりかからない。
【図面の簡単な説明】
【０００６】
【図１】  本発明の実施形態を示す外視図
【図２】  本発明の実施形態の側面図
【図３】  本発明〔請求項〕２の正面図
【図４】  本発明〔請求項〕２の裏面図
【発明を実施する為の形態】
【０００７】  以下  本発明の実施形態の図面を説明する
【０００８】  図において  １はノート  ２はボールペン  ３は筒状の袋  ４は接着剤つきの裏面
【実施例】
【０００９】  筒状の袋なのでボールペンをいつでも入れる事が出来る。そしてボールペンの置き忘れもなくなる。
【産業上の利用可能性】
【００１０】  本発明は参考書、辞書、地図帳  旅行案内書にも印や線を書く為に蛍光ペン等を入れる事が出来る。
そして裏面に接着剤をつけた筒状の袋だけを作ればどんなノートや書籍も表紙に貼り着ければ同じ効果が得られる
【符号の説明】  １  ノート
２  ボールペン
３  筒状の袋
４  接着剤
【図１】
2020055279.tif 000003
【図２】
2020055279.tif 000004
【図３】
2020055279.tif 000005
【図４】
2020055279.tif 000006
(57)【要約】【課題】  本発明は、定規を立体的に使用する目的で、定規との接合部に吸盤を取付け、なお、目盛りーを見やすくするようにレンズを装着した定規補助器を提供する。【解決手段】  取っ手部（１）の両端に吸盤（４ａ、４ｂ）を取付け、取っ手部（１）の片端吸盤（４ｂ）との間にレンズ可動用金具（５）を取付け、レンズ（２）を左右に動くようにし、レンズ可動用金具（５）にレンズ支持柱（３）を取付け、レンズ（２）を固定したことを特徴とする定規補助器。【選択図】図１
2020055278.tif 000002
【特許請求の範囲】
【請求項１】
取っ手部（１）の両端に吸盤（４ａ、４ｂ）を取付け、取っ手部（１）の片端吸盤（４ｂ）との間にレンズ可動用金具（５）を取付け、レンズ（２）を左右に動くようにし、レンズ可動用金具（５）にレンズ支持柱（３）を取付け、レンズ（２）を固定したことを特徴とする定規補助器。
【発明の詳細な説明】
【技術分野】
【０００１】  本発明は、定規を立体的に使用する目的で、定規との接合部に吸盤を取付け、なお、目盛りーを見やすくするようにレンズを装着した定規補助器に関するものである。
【背景技術】
【０００２】  従来、平面の用紙に、平面の定規、力加減では定規に均等の力が加わらず直線などの線引きをするとき、定規が動きズレが生じることがあった。
また、目盛りを確認するとき、ミリ単位の正確な数値が読み取れないことがあった。
【先行技術文献】
【特許文献】
【０００３】
【特許文献１】登録実用新案第３０５３５１６号公報
【発明の概要】
【発明が解決しようとする課題】
【０００４】  それには、次のような問題点があった。
（イ）長時間使用すると、指先の疲労の原因になっていた。
（ロ）目盛りの読み取りの確認が正確でなかった。
（ハ）線引きをするとき、均等に圧力が加わらず線のズレが生じた。
本発明は、これらのような問題点を解決するためになされたものである。
【課題を解決するための手段】
【０００５】  取っ手部の両端に、吸盤を取付け、取っ手部の片端吸盤との間にレンズ可動用金具を取付け、レンズを左右に動くように、レンズ可動用金具にレンズ支持柱を取付け、レンズを固定したことを特徴とする定規補助器。
【発明の効果】
【０００６】（イ）立体効果により長時間使用でも指先の疲労感がなくなった。
（ロ）レンズを使用することで目盛りを正確に読み取れなかった。
（ハ）吸盤をつけたことで定規に均等に力が加わることでズレが解消できる。
（ニ）複数の定規に対応できる。
【図面の簡単な説明】
【０００７】
【図１】  本発明の正面図である。
【図２】  本発明の使用状態を示した斜視図である。
【発明を実施するための形態】
【０００８】  以下、本発明の実施の形態について説明する。
（イ）取っ手部（１）の両端に吸盤（４ａ、４ｂ）を取付け複数の定規に対応する。
（ロ）取っ手部（１）の片端吸盤（４ｂ）との間にレンズ可動用金具（５）を取付け、レ    ンズを左右に動くようにする。
（ハ）レンズ可動用金具（５）にレンズ支持柱（３）を取付け、レンズ（２）を固定する    。
本発明は以上のような構成である。
本発明を使用するときは、取っ手部（１）の吸盤（４ａ、４ｂ）を定規からはみ出さないよう吸着し線引きを行う。
なお、目盛りを確認するときは、レンズ（２）を左右に動かし、見やすい位置にて固定する。
使用後、取り外すときは吸盤（４ａ、４ｂ）の突起部を指で浮かし取り外す。
【符号の説明】
【０００９】    １  取っ手部
２  レンズ
３  レンズ支持柱
４ａ  吸盤
４ｂ  吸盤
５  レンズ可動用金具
６  定規
【図１】
2020055278.tif 000003
【図２】
2020055278.tif 000004
(57)【要約】      （修正有）【課題】外出用と内履き用の両方に履ける構造に安易に変化できるスリッパ及び履物を提供する。【解決手段】スリッパＡの靴底に外履き用取り外し可能なアウトソールＢを取り付け、洗浄時に交換するといった取り外し可能なインソールを中敷きに使用し備え付ける。【選択図】図２
2020182824.tif 000002
【特許請求の範囲】
【発明の詳細な説明】
【技術分野】
【０００１】取り外し可能なアウトソールとインソールを備えたスリッパ及び履物に関する
【背景技術】
【０００２】従来のスリッパは内履き用として用いられている
【発明の概要】
【発明が解決しようとする課題】
【０００３】しかしながら、外出する際に履き替えなければいけない欠点があり、内履きしか使えないという不便利さがあった
【課題を解決するための手段】
【０００４】以上のような従来の欠点に鑑み、外出時、取り外し可能なアウトソールをスリッパの底面に嵌め込み、スリッパの中に取り外し可能な交換インソールを備え付ける事により上記課題を解決するものである
【発明の効果】
【０００５】上記課題を解決するために、取り外し可能なアウトソールにより様々なデザインやカラーによりファッション性に長けており、使用者の趣に合わせたスリッパ及び履物ができる【０００６】アウトソールが取り外せる事でスリッパの洗浄および、外出用、内履き用、と様々な利便性を生むことができる【０００７】取り外し可能なインソールを敷くことで、洗浄および交換ができる利便性が生まれる
【図面の簡単な説明】
【０００８】
【図１】  実施例の傾視図
【図２】  実施例のスリッパＡから取り外し可能アウトソールＢを取り外した説明図
【図３】  実施例の背面図である
【図４】  スリッパＡの構成図
【発明を実施するための形態】
【０００９】図１は、取り外し可能なアウトソールと交換用インソールを備えたスリッパ及び履物の傾視図である。図２に示す通り、取り外し可能アウトソールＢに軟質の屋内用底部９を外部の底部に備え付けたスリッパＡを嵌め込み固定させ、スリッパ内部には、洗浄時に交換し使用する為の取り外し可能インソール８を備え付けており、スリッパ及び履物自体を脱がなくとも屋内外と併用する事が安易である。又は本件は既存の外履きに靴カバーを使用し屋内に入るといった行動に赴いた発明とは相違した発明であります
【００１０】図３に示すは、実施例の背面図であり、踵の後位置には、吸水性、速乾性、柔軟性に富んだ材質でできた折りたたみ可能なヒールカウンター３を設置し、脱げ防止や靴擦れを防ぐ役割を果たす。着脱ボタン４と５を備えたつまみ革や布テープ合成繊維のプルストラップ６により、取り外し可のアウトソールＢとスリッパＡを固定する役割を示す形態となる。
【００１１】図４は、図２のスリッパＡの構成図であり、アッパー部２、ヒールカウンター３、接合ボタン凸部４と接合ボタン凹部からなるプルストラップ６、スリッパＡのインソール７、スリッパＡの取り外し可能なインソール８、スリッパＡの軟質の屋内用底部９の部分が縫合又は接着により組み合わさった形態が内履き用となり、図２記載の取り外し可能なアウトソールＢを嵌め込み取り付けると、図１が示す取り外し可能なアウトソールと交換インソールを備えたスリッパ及び履物となる。
【符号の説明】
【００１２】Ａ  スリッパ
Ｂ  取り外し可能アウトソール
１  接合ボタン用開口部
２  アッパー部
３  ヒールカウンター
４  接合ボタン凸部
５  接合ボタン凹部
６  プルストラップ
７  スリッパＡのインソール
８  スリッパＡの取り外し可能なインソール
９  スリッパＡの軟質の屋内用底部９
【図１】
2020182824.tif 000003
【図２】
2020182824.tif 000004
【図３】
2020182824.tif 000005
【図４】
2020182824.tif 000006
【手続補正書】
【提出日】令和2年4月27日(2020.4.27)
【手続補正５】
【補正対象書類名】特許請求の範囲
【補正対象項目名】全文
【補正方法】変更
【補正の内容】
【特許請求の範囲】
【請求項１】
スリッパの靴底に取り外し可能なアウトソールを取り付け、インソールを中敷きに敷くスリッパ及び履物
【請求項２】
スリッパの踵部分が折りたためる、伸縮性、柔軟性を持つヒールカウンターを備えた請求項１の記載のスリッパ及び履物
【請求項３】
スリッパ及び履物にはアウトソール装着時に固定するためヒールカウンターに取り外し可能装着機具を備えたプルストラップ及びプルストラップを取り付けた請求項１のスリッパ及び履物
【請求項４】
前記記載のアウトソールには、踵部分にスリッパの装着時固定するための穴が特徴とする請求項１に記載のスリッパ及び履物
【請求項５】
スリッパ及び履物の底面には、内履き用としての消耗を防ぐソールを取り付けた請求項１に記載のスリッパ及び履物
(57)【要約】【課題】  材料の粉砕に粉砕機を利用しているが、材料には硬い材質もあり特殊用途の粉砕機で対応するが生産効率が低い。また  単一機器であり材料の投入、搬出も生産効率が低く高い生産効率が求められている。【解決手段】  上記問題点を解決するために、図１に示すマイクロ波加熱乾燥粉砕装置を構成することで、高い生産効率を上げることが出来る。材料粉砕前にマイクロ波加熱乾燥処理することで硬い材質を脆い材質に変え、変化した材料を粉砕機に供給し、一般的粉砕加工で粉砕品を生産することが出来る。マイクロ波加熱乾燥部と粉砕部を連結することで素材から粉砕品まで一貫生産でき高い生産効率を上げることが出来る。【選択図】図１
2020182892.tif 000002
【特許請求の範囲】
【請求項１】
上部材料投入口、下部材料供給部を有するマイクロ波加熱乾燥部と、上部材料供給口、下部完成品排出口を有する粉砕部とを本体連結し、材料投入から粉砕処理まで制御運転する操作盤から成る粉砕品の生産設備であることを特徴する、マイクロ波加熱乾燥粉砕装置。
【請求項２】
マイクロ波加熱乾燥部は、マイクロ波照射で硬い材料を脆い材料に変化させて粉砕処理の効率化を図ることを特徴とする、請求項１記載のマイクロ波加熱乾燥粉砕装置。
【請求項３】
マイクロ波加熱乾燥部の下部構造は、材料受部、材料撹拌機能、底部自動開閉機能を有することを特徴とする、請求項１記載のマイクロ波加熱乾燥粉砕装置。
【請求項４】
粉砕部は、マイクロ波加熱乾燥部と連結し材料供給を受け粉砕処理、粉砕品搬出することを特徴とする、請求項１記載のマイクロ波加熱乾燥粉砕装置。
【請求項５】
操作部は、投入材料別のマイクロ波加熱処理、材料供給処理、粉砕処理および粉砕品搬出の制御運転する制御部を配備してなることを特徴とする、請求項１記載のマイクロ波加熱乾燥粉砕装置。
【発明の詳細な説明】
【技術分野】
【０００１】
本発明は、植物、魚介類、飲食材料、工業材料を粉砕する装置に関する。
【背景技術】
【０００２】
従来の粉砕処理は、投入原料に対応する単独生産で、生産効率が低い機器の個別加工でなく、前処理と粉砕処理の機器を統合し、生産効率高い生産設備を求められている。粉末品の製法文献がある。加熱乾燥処理と片皮を砕かない粉砕処理から粉体とする製法がある（特許文献１参照）。微粉炭の生成方法がある（特許文献２）。
【０００３】
前記問題の解決の一例として、物の取出し、戻しの移動を容易するキャスター付き机下台が提供されている。（非特許文献１参照）
物の取出し、戻しは可能となるが、キャスター含む高さが４８ｍｍ有り下部空間の有効活用が半減する。また、低い下部空間部の清掃は、別途ゴミ清掃を実施する必要がある。
【先行技術文献】
【特許文献】
【０００４】
【特許文献１】特開Ｓ５７−１３８３５２号公報
【特許文献２】特表２０１２-５１５８４１号公報
【発明の概要】
【発明が解決しようとする課題】
【０００５】
粉砕機に投入する材料の前処理加工と粉砕処理加工を統合することで、原材料投入から粉砕までを機器統合した生産設備で高い生産効率を上げることを目的とするものである。
【課題を解決するための手段】
【０００６】
本発明は、材料を粉砕品とする生産設備の生産効率を上げるもので、上部材料投入口、下部材料供給部を有するマイクロ波加熱乾燥部と、上部材料供給口、下部粉砕品排出口を有する粉砕部とを本体連結し、材料投入から粉砕処理まで制御運転する加熱乾燥粉砕装置である。マイクロ波加熱乾燥部から材料供給を受け粉砕部で材料を粉砕する。操作盤は、材料投入、マイクロ波加熱乾燥処理、加熱材料供給、粉砕処理、粉砕品搬出の工程を自動制御運転する制御装置を配置している。
【発明の効果】
【０００７】
本発明のマイクロ波加熱乾燥粉砕装置は、マイクロ波加熱乾燥機能のマイクロ波照射による材料の内部加熱により材質変化で粉砕処理が短縮され生産効率が上がり利益の出る生産設備である。
【図面の簡単な説明】
【０００８】
【図１】本発明のマイクロ波加熱乾燥粉砕装置の概念図である。
【発明を実施するための形態】
【０００９】
以下、本発明の実施形態を図１に基づいて説明する。
【００１０】
マイクロ波加熱乾燥部は、上部材料投入口、マイクロ波照射機能で硬い材料を脆い材料に変化させて、下部に材料受部、材料撹拌機能、底部自動開閉機能で粉砕部へ材料供給し、粉砕処理の効率化を図ることである。
【００１１】
粉砕部は、上部にマイクロ波加熱乾燥部を装備し、マイクロ波加熱した材料の供給を受け粉砕処理で粉砕品を生産し、粉砕品の搬出機能を有するものである。
【００１２】
操作部は、投入材料別のマイクロ波加熱処理、材料供給処理、粉砕処理および粉砕品搬出の制御運転する制御部を配備してなる。
【図１】
2020182892.tif 000003
(57)【要約】【課題】靴の表面に長期間持続する光沢を与える方法を提供すること。【解決手段】靴の表面に長期間持続する光沢を与える方法は、靴の表面に基礎ワックスを塗布する工程と、基礎ワックスの表面にフッ素樹脂を塗布する工程とを含む。【選択図】図１
2020182612.tif 000002
【特許請求の範囲】
【請求項１】
靴の表面に持続する光沢を与える方法であって、
前記靴の表面に基礎ワックスを塗布する工程と、
前記基礎ワックスの表面にフッ素樹脂を塗布する工程とを含むことを特徴とする、靴の表面に持続する光沢を与える方法。
【請求項２】
前記基礎ワックスは、フッ素を含有しないことを特徴とする、請求項１に記載の靴の表面に持続する光沢を与える方法。
【請求項３】
前記基礎ワックスは、樹脂ワックスであることを特徴とする、請求項１又は２に記載の靴の表面に持続する光沢を与える方法。
【請求項４】
前記基礎ワックスは、蝋を主成分とするワックスであることを特徴とする、請求項１又は２に記載の靴の表面に持続する光沢を与える方法。
【発明の詳細な説明】
【技術分野】
【０００１】
本発明は、靴（合成皮革、人工皮革、天然皮革）の表面に持続する光沢を与える方法に関する。
【背景技術】
【０００２】
従来、靴（合成皮革、人工皮革、天然皮革）以下「靴と言う」の表面に光沢を与えるために、靴クリームやワックス（例えば、特許文献１参照）等を靴の表面に塗布することが行われている。以下、「ワックス」と表するが、靴クリームその他の光沢を与える目的で塗布されるもの全般を言う。ワックスは、光沢を与える他に、靴の表面が外力によって折れ曲がった時の損傷を小さくする効果も有する。
【０００３】
ここで、靴に塗られたワックスは、表面が酸化してしまい又は使用時に砂等の接触、摩擦などにより光沢が短期間で衰えてしまう問題があった。
【０００４】
特許文献１の記載されたように、ワックスにフッ素を含ませることができる。フッ素の効果により、酸化を防止できる。しかし、樹脂を含むワックスにフッ素を混ぜて靴表面に塗り、乾かすと白く濁ってしまう。本来のワックスは乾かすと透明で光沢があるが、透明性と光沢を失う問題が生じる。
【先行技術文献】
【特許文献】
【０００５】
【特許文献１】特開平１０−１０１９８９号公報
【発明の概要】
【発明が解決しようとする課題】
【０００６】
本発明は、靴表面に光沢を与え、長期間にわたり靴の美観と靴表面の光沢を持続させる方法を提供することを課題とする。
【課題を解決するための手段】
【０００７】
本発明の靴の表面に光沢を与える方法は、
前記靴の表面に基礎ワックスを塗布する工程と、
前記基礎ワックスの表面にフッ素樹脂を塗布する工程とを含むことを特徴とする。ここで、「表面」とは、靴が空気に接する面（靴底以外の全ての面）を言い、踵部分の側面及び足先部分の側面を含む。ただし、表面の一部のみに基礎ワックスを塗布する場合も、本発明の範囲に含む。
【０００８】
この特徴によれば、靴の表面に基礎ワックスを塗布し、基礎ワックスの表面にフッ素樹脂を塗布することで、基礎ワックスの被膜（上層部）の表面にフッ素樹脂の被膜（層）が形成され、基礎ワックスの外的劣化要因である酸化や摩擦から防ぎ基礎ワックスの光沢を長期間持続させることができる。
【０００９】
本発明の靴の表面に光沢を与える方法は、
前記基礎ワックスは、フッ素を含有しないことを特徴とする。
【００１０】
この特徴によれば、フッ素を含有しない基礎ワックスを用いることで、本来ワックスがもつ光沢を発揮させることができる。
【００１１】
本発明の靴の表面に光沢を与える方法は、
前記基礎ワックスは、樹脂を混合させたワックスであることを特徴とする。
【００１２】
この特徴によれば、樹脂ワックスを靴の表面に塗布することで、透明で光沢のある被膜を靴の表面に形成し、フッ素樹脂の被膜形成により、長期間、汚れにくく光沢が損なわれない特徴をもたせる。
【００１３】
本発明の靴の表面に光沢を与える方法は、
前記基礎ワックスは、蝋を主成分とするワックスであることを特徴とする。
【００１４】
この特徴によれば、蝋を主成分とする（成分の過半が蝋である）ワックスでも光沢を長期間持続させることができる。
【発明の効果】
【００１５】
本発明によれば、靴の表面に基礎ワックスを塗布し、基礎ワックスの表面にフッ素樹脂を塗布することで、靴の表面に光沢を与え、酸化や摩耗しやすいワックスをフッ素の被膜により防ぎつつ靴の表面に長期間、光沢を与えることができる。
【図面の簡単な説明】
【００１６】
【図１】図１は、靴の表面に光沢を与える方法の工程図である。
【発明を実施するための形態】
【００１７】
以下、本発明の実施形態について図面を参照して詳細に説明する。
【００１８】
図１は、靴の表面に光沢を与える方法の工程図である。ここで、「靴」とは、各種天然皮革及び合成皮革、人工皮革を甲革に使用した靴をいう。
【００１９】
まず。工程Ｓ１として、靴の表面に基礎ワックスを塗布する。ここで、「基礎ワックス」としては、フッ素を含有しない樹脂ワックスを用いるのが好ましい。「樹脂ワックス」とは、水とアクリル系樹脂や、ウレタン系樹脂等、人為的に製造された樹脂を含めたワックスをいう。樹脂ワックスを靴の表面に塗布することで、透明で光沢のある被膜が靴の表面に形成され、靴の表面に光沢を与えることができる。また、ワックスの中でもフッ素を含有しないものを用いることで、フッ素によりワックスの透明感や光沢が阻害されていないものが好ましい。
【００２０】
次に、工程Ｓ２として、第１工程で塗布した基礎ワックスの表面にフッ素樹脂を塗布する。ここで、「フッ素樹脂」とは、フッ素を含ませた化合物をいう。基礎ワックス層の表面にフッ素樹脂を塗布することで、フッ素樹脂の被膜を形成させ、強度を高めるため複数回塗布することで、複数の被膜層を形成し、ワックスを劣化させる外的要因から保護し、フッ素の抗酸化作用により基礎ワックスの酸化を防ぐ。
【００２１】
このように、光沢に優れた基礎ワックスの被膜層と、抗酸化力に優れたフッ素樹脂の被膜層と異なる層で靴を被覆することで、長期間にわたり基礎ワックスの酸化を防ぎつつ靴の表面に光沢を持続させ、汚れにくくすることができる。
【産業上の利用可能性】
【００２２】
本発明の方法は、靴に用いることができ、また、靴以外にも、革、合成皮革、人工皮革で形成されたバッグ、ベルト、財布等の各種製品及び、ステンレス、アルミ、ＦＲＰ、硬化プラスチック、陶器、に利用することができ、本発明の方法により長期間にわたり高い光沢を持続させ、汚れにくい特徴を与えることができる。
【図１】
2020182612.tif 000003
(57)【要約】【課題】  ペットの散歩中に水を使用するとき、すぐに使いやすくするようにペットリード本体にボトルクリップを設けたボトルクリップ付きペット用リードを提供する。【解決手段】  ペット用リード（１）、持ち手部ループ（２）付近にボトルクリップ（３）を設けたペット用リードを特徴とする。【選択図】図１
2020182430.tif 000002
【特許請求の範囲】
【請求項１】
ペット用リード（１）、持ち手部ループ（２）付近にボトルクリップ（３）を設けたボトルクリップ付きペット用リード。
【発明の詳細な説明】
【技術分野】
【０００１】  本発明はペット用リードの持ち手ループ付近の一部分にボトルクリップを付けたペット用リードに関するものである。
【技術背景】
【０００２】  従来のペット用リードは、人とペットを繋ぎ止める目的での使用である。
【先行技術文献】
【特許文献】
【０００３】
【特許文献１】特開      −        号公報
【発明の概要】
【発明が解決しようとする課題】
【０００４】  これは次のような欠点があった。
（イ）ペットの散歩には飲み水、排尿時の流し用の水は必需品である。
（ロ）そのため、ペットボトル、水筒などにいれた水を手提げ袋など別に用意する必要が    あった。
本発明は、以上のような別な持ち袋を用意することなくペット用リードとペットボトルを一体化して持てることを提供する目的としている。
【課題を解決するための手段】
【０００５】  ペット用リードに於いて、リード本体（１）持ち手ループ部（２）の付近にボトルクリップ（３）を付ける
本発明は、以上の構成よりなるボトルクリップ付きペット用リードである。
【発明の効果】
【０００６】  ペット用リードとペットボトルクリップが一体になっているので、水が必要になったときでも、別に用意した袋より取り出すことなくすぐに使用できる。
【図面の簡単な説明】
【０００７】
【図１】  本発明のペット用リードの構成を示した斜視図である。
【図２】  本発明の使用状態を示した斜視図である。
【発明を実施するための形態】
【０００８】  以下、本発明を実施するための形態について説明する。
ペット用リード本体（１）の持ち手となるループ（２）の付近にボトルクリップ（３）を設ける。
本発明は、以上のような構成である。
ペットボトルを使用するときは、ペット用リードと一体になっているため、ペット用リードを持ちながらペットボトルの水を使用すれば良い。
【符号の説明】
【０００９】  １  ペット用リード本体
２  持ち手ループ
３  ボトルクリップ
【図１】
2020182430.tif 000003
【図２】
2020182430.tif 000004
(57)【要約】      （修正有）【課題】交流電圧源を電源として、整流回路と平滑コンデンサを備えた直流電源装置において、突入電流を抑制する。【解決手段】交流電圧源を電源として、整流回路１と平滑コンデンサ４を備えた直流電源装置は、整流回路１の出力の負極を共通とする電圧源５と、整流回路１の出力の正極と平滑コンデンサ４の間に接続されたＭＯＳ−ＦＥＴ８と、電流制限抵抗２と、逆流防止ダイオード３と、整流回路１の出力電圧の谷間で電圧源５からＭＯＳ−ＦＥＴ８のゲートに電圧を供給するためのダイオード６と、を備える。【選択図】図１
2020182305.tif 000002
【特許請求の範囲】
【請求項１】
交流電圧源を電源として、整流回路と平滑コンデンサを備えた直流電源装置で、前記整流回路の出力の負極を共通とする電圧源を備え、前記整流回路の出力の正極と前記平滑コンデンサの間に接続されたMOS-FETと電流制限抵抗と逆流防止ダイオードを備え、前記整流回路の出力電圧の谷間で前記電圧源から前記MOS-FETのゲートに電圧を供給するためのダイオードを備えることを特徴とした直流電源装置。
【発明の詳細な説明】
【技術分野】
【０００１】
本発明は、直流電源装置に関するものである。
【背景技術】
【０００２】
整流回路と平滑コンデンサを備えた直流電源装置における電源投入時の突入電流を抑制する手段として、特許文献１に記載されるような、スイッチング回路の二次巻線発生電圧をスイッチのトリガとし、回路動作後に電流制限抵抗のバイパススイッチをオンする手段が知られる。
【先行技術文献】
【特許文献】
【０００３】
【特許文献１】特開平06-153509号公報
【発明の概要】
【発明が解決しようとする課題】
【０００４】
上記のような構成では平滑コンデンサの充電の途中でスイッチング回路が動作開始すると満充電するまでの間に突入電流が発生する恐れがある。
【０００５】
本発明では、突入電流の発生を抑制することを目的とする。
【課題を解決するための手段】
【０００６】
交流電圧源を電源として、整流回路と平滑コンデンサを備えた直流電源装置で、前記整流回路の出力の負極を共通とする電圧源を備え、前記整流回路の出力の正極と前記平滑コンデンサの間に接続されたMOS-FETと電流制限抵抗と逆流防止ダイオードを備え、前記整流回路の出力電圧の谷間で前記電圧源から前記MOS-FETのゲートに電圧を供給するためのダイオードを備えることを特徴とする。
【発明の効果】
【０００７】
本発明によれば、整流回路の出力電圧の谷間で電流制限抵抗をバイパスするためのMOS-FETをオンすることにより突入電流を抑制することを目的とする。
【図面の簡単な説明】
【０００８】
【図１】本発明の一実施例の構成例を示す図である。
【発明を実施するための形態】
【０００９】
本実施形態を、図１を用いて説明する。
【００１０】
図１はコンデンサインプット型の直流電源回路である。電源投入時は、全波整流器１、電流制限抵抗２、逆流防止ダイオード３の経路で、制限された電流が平滑コンデンサ４を充電する。その後、全波整流器１の出力電圧の谷間で、全波整流器１の負極を共通とする電圧源５から、ゲート電圧供給用ダイオード６を介してゲート電圧保持用コンデンサ７を充電し、MOS-FET８がオンする。ゲート電圧保持用コンデンサ７により全波整流器１の出力電圧が再び上昇しても、MOS-FET８のゲート電圧は保持され、オン状態を維持し、以降電流制限抵抗２は、MOS-FET８によりバイパスされる。
【００１１】
上記のとおり、電流制限抵抗をバイパスするためのMOS-FET８は全波整流器１の出力電圧の谷間でオンすることになり、平滑コンデンサ４の充電状態によらず突入電流を抑制することができる。
【図１】
2020182305.tif 000003